(57)【特許請求の範囲】
【請求項１】
天面に取出口を有する容器本体と、当該容器本体に取り付けられ、前記取出口をスライド開閉する上蓋とを有し、ウェットティシューを収納するウェットティシュー収納容器であって、
前記取出口の第１周縁部に設けられた容器側パッキンと、前記上蓋を閉じた際に前記第１周縁部に対向する第２周縁部に設けられた蓋側パッキンと、を備え、
該パッキンは、前記上蓋がスライドして閉まることで前記第１周縁部と前記第２周縁部との間を気密状態にし、
前記容器側パッキンの高さは、前記上蓋の閉まる方向に漸次増加し、
前記蓋側パッキンの高さは、前記上蓋の閉まる方向に漸次減少することを特徴とするウェットティシュー収納容器。
【請求項２】
前記蓋側パッキンは、嵌合部を有し、
前記容器側パッキンは、前記嵌合部と嵌合する被嵌合部を有することを特徴とする請求項１記載のウェットティシュー収納容器。
【請求項３】
天面に取出口を有する容器本体と、当該容器本体に取り付けられ、前記取出口をスライド開閉する上蓋とを有し、ウェットティシューを収納するウェットティシュー収納容器であって、
前記取出口の第１周縁部に設けられた容器側パッキンと、前記上蓋を閉じた際に前記第１周縁部に対向する第２周縁部に設けられた蓋側パッキンと、を備え、
該パッキンは、前記上蓋がスライドして閉まることで前記第１周縁部と前記第２周縁部との間を気密状態にし、
前記容器側パッキンと前記蓋側パッキンとのうちの一方を平面視O字型のパッキンとし、他方を平面視C字型のパッキンとするものであって、
前記上蓋が閉まる方向に動く動作により、前記O字型のパッキンを前記C字型のパッキンで回り込ませて嵌合し、
前記C字型のパッキンは、両端部に嵌合部を有し、
前記O字型のパッキンは、前記嵌合部と嵌合する被嵌合部を有することを特徴とするウェトティシュー収納容器。
【請求項４】
天面に取出口を有する容器本体と、当該容器本体に取り付けられ、前記取出口をスライド開閉する上蓋とを有し、ウェットティシューを収納するウェットティシュー収納容器であって、
前記取出口の第１周縁部に設けられた容器側パッキンと、前記上蓋を閉じた際に前記第１周縁部に対向する第２周縁部に設けられた蓋側パッキンと、を備え、
該パッキンは、前記上蓋がスライドして閉まることで前記第１周縁部と前記第２周縁部との間を気密状態にし、
該パッキンは、前記上蓋がスライドして閉まる際に前記蓋側パッキンが前記容器側パッキンを乗り越え、
前記上蓋を開く方向に付勢する付勢部材を有し、
前記上蓋が閉じる際に、該付勢部材の付勢力を用いて、前記容器側パッキンと蓋側パッキンとを密着させることを特徴とするウェットティシュー収納容器。
【請求項５】
前記蓋側パッキンは前記ウェットティシュー収納容器表面に当接する長さを有し、少なくとも前記ウェットティシュー収納容器に当接する部分は軟質材からなり、
前記上蓋を閉鎖する際に、当該パッキンが前記ウェットティシュー収納容器表面と接触しつつ移動することを特徴とする請求項１から３までのいずれか１項に記載のウェットティシュー収納容器。
【発明の詳細な説明】
【技術分野】
【０００１】
本発明は、ウェットティシューを収納するウェットティシュー収納容器に関する。
【背景技術】
【０００２】
ウェットティシューは湿潤性を保つために容器に保管される。気密性を有するフィルムにて形成した袋体と、取出口を開閉可能に覆う蓋体とで構成され、蓋部がスライド嵌合する構造を有するウェットティシュー収納容器が知られる（特許文献１、２）。
【先行技術文献】
【特許文献】
【０００３】
【特許文献１】特許第３３２２８０５号公報
【特許文献２】特許第３３１８１６６号公報
【発明の概要】
【発明が解決しようとする課題】
【０００４】
しかしウェットティシューを長期保管する場合、浸透している薬液が容器から揮発し、製品本来の機能が発揮できない場合があった。
【０００５】
本発明の課題は、容器の気密性を上げ、製品の長期保管が可能であるスライド開閉形状のウェットティシュー収納容器を提供することである。
【課題を解決するための手段】
【０００６】
前記課題を解決するために、請求項1記載の発明は、天面に取出口を有する容器本体と、前記取出口をスライド開閉する上蓋とを有し、ウェットティシューを収納するウェットティシュー収納容器であって、
前記取出口の第１周縁部に設けられた容器側パッキンと、前記上蓋を閉じた際に前記第１周縁部に対向する第２周縁部に設けられた蓋側パッキンと、を備え、
該パッキンは、前記上蓋がスライドして閉まることで前記第１周縁部と前記第２周縁部との間を気密状態にし、
前記容器側パッキンの高さは、前記上蓋の閉まる方向に漸次増加し、
前記蓋側のパッキンの高さは、前記上蓋の閉まる方向に漸次減少することを特徴とする。 
【０００８】
請求項２記載の発明は、請求項１記載のウェットティシュー収納容器であって、
前記蓋側パッキンは、嵌合部を有し、
前記容器側パッキンは、前記嵌合部と嵌合する被嵌合部を有することを特徴とする。 
【０００９】
請求項３記載の発明は、天面に取出口を有する容器本体と、前記取出口をスライド開閉する上蓋とを有し、ウェットティシューを収納するウェットティシュー収納容器であって、
前記取出口の第１周縁部に設けられた容器側パッキンと、前記上蓋を閉じた際に前記第１周縁部に対向する第２周縁部に設けられた蓋側パッキンと、を備え、
該パッキンは、前記上蓋がスライドして閉まることで前記第１周縁部と前記第２周縁部との間を気密状態にし、
前記容器側パッキンと前記蓋側パッキンとのうちの一方を平面視O字型のパッキンとし、他方を平面視C字型のパッキンとするものであって、
前記上蓋が閉まる方向に動く動作により、前記O字型のパッキンを前記C字型のパッキンで回り込ませて嵌合し、
前記C字型のパッキンは、両端部に嵌合部を有し、
前記O字型のパッキンは、前記嵌合部と嵌合する被嵌合部を有することを特徴とする。 
【００１１】
請求項４記載の発明は、天面に取出口を有する容器本体と、前記取出口をスライド開閉する上蓋とを有し、ウェットティシューを収納するウェットティシュー収納容器であって、
前記取出口の第１周縁部に設けられた容器側パッキンと、前記上蓋を閉じた際に前記第１周縁部に対向する第２周縁部に設けられた蓋側パッキンと、を備え、
該パッキンは、前記上蓋がスライドして閉まることで前記第１周縁部と前記第２周縁部との間を気密状態にし、
該パッキンは、前記上蓋がスライドして閉まる際に前記蓋側パッキンが前記容器側パッキンを乗り越え、
前記上蓋を開く方向に付勢する付勢部材を有し、
前記上蓋が閉じる際に、該付勢部材の付勢力を用いて、前記容器側パッキンと蓋側パッキンとを密着させることを特徴とする。 
【００１２】
請求項５記載の発明は、請求項１から３までのいずれか１項に記載のウェットティシュー収納容器であって、前記蓋側パッキンは前記ウェットティシュー収納容器表面に当接する長さを有し、少なくとも前記ウェットティシュー収納容器に当接する部分は軟質材からなり、
前記上蓋を閉鎖する際に、当該パッキンが前記ウェットティシュー収納容器表面と接触しつつ移動することを特徴とする。
【発明の効果】
【００１３】
請求項１記載の発明によれば、取出口の第１周縁部と上蓋を閉じた際に第１周縁部と対向する第２周縁部との両方にパッキンを用いるので、上蓋を閉める力によりウェットティシュー収納容器の気密性を高め、薬液の揮発を防止することができる。さらに、容器側のパッキンの高さは、上蓋の閉まる方向に漸次増加し、蓋側のパッキンの高さは、上蓋の閉まる方向に漸次減少するので、上蓋のスライド移動の際には摩擦が少なく、閉まった状態にあってはパッキン同士の密着度を高めることができる。
請求項２記載の発明によれば、パッキン同士の嵌合部と被嵌合部とにより嵌合するので、気密性が向上する。
請求項３記載の発明によれば、Ｃ字型のパッキンが回り込み、パッキン同士の嵌合部と被嵌合部とにより嵌合するので、気密性が向上する。
請求項４記載の発明によれば、付勢力を用いて、容器側パッキンと蓋側パッキンとを密着させるので、気密性が向上する。
請求項５記載の発明によれば、軟質材のパッキンによりウェットティシュー収納容器表面と接触しながら移動するので、パッキンがウェットティシューの薬液を取り込むことで、湿潤性を維持し、密着度の高い状態を保つことができる。 
【図面の簡単な説明】
【００１４】
【図１】ウェットティシュー収納容器の斜視図である。図１（ａ）は上蓋が閉じている状態であり、図１（ｂ）は上蓋が開いている状態である（実施形態１）。
【図２】ウェットティシュー収納容器を上から見た平面図である。図２（ａ）は、上蓋が閉じている状態を示す。図２（ｂ）は、容器本体にアセンブリシャーシのみを取り付けた状態を示す。図２（ｃ）は可動部分を示す。図２（ｄ）は、固定部分に付勢部材を取り付けた状態を示す（実施形態１）。
【図３】上蓋が閉じている状態について、ウェットティシュー収納容器の長手方向の中心線を含む鉛直面で切断した断面図（図３（ａ））、上蓋が開いている状態について、ウェットティシュー収納容器の長手方向の中心線を含む鉛直面で切断した断面図（図３（ｂ））、上蓋が開いている状態についてウェットティシュー収納容器を上から見た平面図（図３（ｃ））である（実施形態１）。
【図４】閉まる方向に動くことで気密性を保つパッキン形状を示す断面図である（実施形態１）。
【図５】パッキンと本体との嵌合に用いるパッキン形状を示す断面図（図５（ａ））及び本体とアセンブリシャーシとを挟むパッキン形状を示す断面図（図５（ｂ））である。（変形例１）
【図６】一方のパッキンを他方のパッキンに回り込ませて嵌合するパッキン形状を上から見た様子を示す図である（実施形態２）。
【図７】回り込ませて嵌合するパッキン形状を横から見た様子を示す模式図である（実施形態２）。
【図８】ロック機構を有するパッキンを上から見た様子を示す図である（実施形態３）。
【図９】ロック機構を有するパッキン形状を横から見た断面図（ａ），（ｂ）及びノッチを設けた例を示す図（ｃ），（ｄ），（ｅ）である（実施形態３）。
【図１０】上蓋の開閉する動力を利用して気密性を向上させるパッキン形状、構造を示す図である（実施形態４）。
【図１１】上蓋の開閉する動力を利用して気密性を向上させるパッキン形状、構造の詳細を示す図である（実施形態４）。
【図１２】軟質材からなるパッキンの上蓋開放時（ａ）、スライド時（ｂ）、閉まった時（ｃ）を示す模式図である（実施形態５）。
【図１３】軟質材からなるパッキンの形状、構造を横から見た図である（実施形態５）。
【図１４】軟質材からなるパッキンの機能を示す図である（実施形態５）。
【発明を実施するための形態】
【００１５】
以下、図面を参照しつつ、本発明の実施形態であるウェットティシュー収納容器について詳細に説明する。ただし、発明の範囲は、図示例に限定されない。
【００１６】
≪実施形態１≫
＜ウェットティシュー収納容器の構成＞
まず、本実施形態のウェットティシュー収納容器の構成について説明する。
なお、以下の説明では、ウェットティシュー収納容器の平面視長手方向を左右方向、平面視短手方向を前後方向、高さ方向を上下方向とする。
【００１７】
本実施形態に係るウェットティシュー収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、ウェットティシュー収納容器１には、ティシューペーパーやキッチンペーパーやペーパータオル等のドライタイプの家庭用薄葉紙Ｐを収納しても良い。
具体的には、ウェットティシュー収納容器１は、例えば、図１（ａ），（ｂ）、図２、図３に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１８】
ここで、容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばねを用いることとする。
【００１９】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出されるようになっている。
なお、薄葉紙積層体Ｑを、包装体によって内包することとしても良い。特に、ウェットティシュー収納容器１に収納する家庭用薄葉紙Ｐが、本実施形態のようにウェットタイプの家庭用薄葉紙Ｐである場合には、薄葉紙積層体Ｑを防湿性の包装体によって内包することが好ましい。
【００２０】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２１】
容器本体１０の上面部１０ａには、例えば、図３（ａ）、図３（ｂ）に示すように、下側に向けて陥没する凹部１３が設けられており、この凹部１３の底面部１３ａに取出口１１が形成されている。なお、本実施形態では、底面部１３ａのうち左右方向（容器本体１０の平面視長手方向）中央よりも一側（本実施形態の場合、右側）にずれた位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３（ｂ）参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２（ａ）、図３（ａ）参照）となった場合に閉塞されるようになっている。
【００２２】
例えば、図１（ａ）、図２（ｂ）、図３に示すように、取出口１１の周縁には、シリコンゴム等のゴムやオレフィン系エラストマー等の熱可塑性エラストマーなどの弾性体から形成されたケース側パッキン１４が装着されている。
また、上蓋２０の下面にも、シリコンゴム等のゴムやオレフィン系エラストマー等の熱可塑性エラストマーなどの弾性体から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図５（ａ）参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。
これにより、ウェットティシュー収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２３】
また、ケース側パッキン１４には、例えば、図３に示すように、当該ケース側パッキン１４の下端部から内側に向けて（取出口１１を塞ぐ方向側に向けて）延出する複数の舌片部１４ａが設けられており、舌片部１４ａ同士の隙間から家庭用薄葉紙Ｐが引き出されるように構成されている。これにより、家庭用薄葉紙Ｐを一枚ずつ引き出しやすくなっている。
なお、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。また、シャーシ３０に取出口１１が設けられている場合には、シャーシ３０に気密手段を設けても良い。
【００２４】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図３（ａ）に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短手方向）に下方へ凸となるよう湾曲した形状をなしている。
【００２５】
シャーシ３０の枠部３１（具体的には、枠部３１の連結部３１ｃ（図３（ｂ）参照））の上面には、例えば、図２（ｄ）に示すように、付勢部材５０の一端と係合する固定側係合部３３が設けられている。
また、上蓋２０の下面のうち前後方向略中央の位置には、例えば、図２（ｃ）、図３（ａ）に示すように、付勢部材５０の他端と係合する可動側係合部２２が設けられている。
ここで、例えば、図２、図３に示すように、本実施形態において、ウェットティシュー収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長手方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００２６】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００２７】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、ウェットティシュー収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、ウェットティシュー収納容器１の美観が向上するとともに、付勢部材５０、シャーシ３０の固定側係合部３３及び上蓋２０の可動側係合部２２が触られることを防止できるようになっている。
【００２８】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００２９】
例えば、図３に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢部材によって、押圧されて回動する方向とは逆方向に付勢されている。
【００３０】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢部材の付勢力に抗する力が作用し、爪受部３４ｃが下側へと移動するようにスイッチ部３４が回動する。そして、上蓋２０が閉塞状態になってスイッチ部３４の付勢部材の付勢力に抗する力が解除されると、スイッチ部３４の付勢部材の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３１】
また、爪部２３と爪受部３４ｃとが係合している際に、スイッチ部３４の操作面３４ａが押圧されてスイッチ部３４の付勢部材の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３２】
本実施形態においては、シャーシ３０の枠部３１の一部が、上蓋２０を直線的にスライド移動するようガイドするレール部３１ａになっている。具体的には、例えば、図３（ｃ）に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図３（ｃ）に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００３３】
ここで、例えば、図３（ｃ）に示すように、スライド部２４の左端部（すなわち、上蓋２０の開放状態となる方向側の端部）には、上蓋２０が開放状態となる際の衝撃を吸収するダンパー２４ａが設けられている。
また、例えば、図３（ｃ）に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００３４】
例えば、図１、図３に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための固定側指掛部３５が設けられている。具体的には、シャーシ３０には、固定側指掛部３５として、シャーシ３０の端部（本実施形態の場合、上壁部３２の右端部）を上側に向けて起立させることにより形成された突起部が設けられている。
【００３５】
すなわち、可動側指掛部２５の左側（すなわち、固定側指掛部３５とは反対側）に指を掛けて上蓋２０を閉める際に、固定側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、固定側指掛部３５は、スイッチ部３４に離間してケース体（本実施形態の場合、シャーシ３０）に設けられている。これにより、固定側指掛部３５に掛けた指でスイッチ部３４を誤操作してしまうことを防止できるようになっている。
なお、本実施形態では、固定側指掛部３５をシャーシ３０に設けたが、これに限ることはなく、固定側指掛部３５は、容器本体１０に設けても良い。
【００３６】
例えば、図３（ｂ）に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図３に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００３７】
ここで、例えば、図２、図３に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００３８】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００３９】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００４０】
＜ウェットティシュー収納容器の製造方法＞
次に、本実施形態のウェットティシュー収納容器の製造方法の一例について、図２，３を参照して説明する。
まず、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部（図示略）と、容器本体１０の凹部１３の底面部１３ａに嵌合凸部に対応させて設けられた嵌合孔部（図示略）と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部と、容器本体１０に設けられた嵌合孔部と、を嵌合させることによって、アセンブリ体Ａを容器本体１０に固定するよう構成したが、これに限ることはなく、例えば、ねじ等によってアセンブリ体Ａを容器本体１０に固定しても良い。
【００４１】
≪上蓋のスライド開閉機構について≫
本願発明の実施形態と実施例とでは、取出口１１、上蓋２０を含む容器本体１０の天面における構成は、同様のものを用いて説明している。ここで、図３（ｂ）の上蓋が開いている状態を示す断面図と、図３（ａ）の上蓋が閉じている状態を示す平面図とを参照しつつ、上蓋２０の開閉を実現する構成について板状のアセンブリシャーシを用いた例を挙げて説明する。
付勢部材５０、パッキン１４、２１を除く部品（容器本体１０、上蓋２０、スイッチ部３４、シャーシ３０、アセンブリシャーシ６０など）は、合成樹脂の成型品として作製することができる。
容器本体１０は、ここでは天面に長手方向に延びる長円状の凹部１３を有しており、その凹部１３に上蓋２０のスライド開閉機構、開いた状態に付勢する付勢部材５０、閉じた状態に固定する爪受部３４ｃ、爪受部３４ｃの固定を解除するためのスイッチ部３４などを収容する。
取出口１１及びそれを取り囲むように設けられたパッキン１４は、上述した実施形態における本体容器１０に設けることもできるが、別の部材として板状の部材６０（ここで、アセンブリシャーシと呼ぶ）に設けて、例えば容器本体１０の裏側（内側）から嵌めこまれることとしてもよい。嵌め込むための形状としては貫通しない凹み部分とそれに嵌合する突起とをもって嵌合させ、一度嵌め込めば、外すのが困難であるように成型品の設計をすることができる。貫通しない凹み部分とするのは、容器の密閉性（気密性）を確保するためである。
【００４２】
上蓋２０をスライド開閉させる機構について、固定部分と可動部分とに分けて説明する。
固定部分及び可動部分は、アセンブリシャーシ６０に取り付ける。実際の工場の作業にあっては、容器本体１０に取り付ける前のアセンブリシャーシ６０に固定部分及び可動部分を取り付けてから、上蓋２０が閉じた状態にして、アセンブリシャーシ６０を容器本体１０の裏側（内側）から容器本体１０の長円状の孔に固定部分及び可動部分が嵌るようにし、かつ容器本体１０の裏側の凹み部分（リブ）にアセンブリシャーシ側の突起が嵌合するように嵌めこむことができる。その後、容器本体１０の天面側からスイッチ部３４を押すことにより、爪受部３４ｃの引っかかりを解除し、上蓋２０を開いた状態にする。この状態がサブアセンブリ状態（組み立て途中）、すなわちウェットティシュー積層体を収納する前の状態である。
【００４３】
アセンブリシャーシ６０に取り付ける固定部分は、スイッチ部３４、固定側指掛部３５、レール部３１ａ，３１ａを含む部分である。これらは、それぞれを成型品として製造したのちに、アセンブリシャーシに嵌め込むことにより組み上げることができる。また、これらのうちの一部（例えば、固定側指掛部３５、レール部３１ａ，３１ａ）をアセンブリシャーシと一体成型する変形例も可能である。スイッチ部３４については、ユーザにより動かして上蓋２０の閉まっている状態を解除するものであるので、動く部分を含むので、アセンブリシャーシとの一体成型にはなじまない。
スイッチ部３４の動く部分については、別の部品として作製して、後から嵌め込む。
【００４４】
固定側指掛部３５は、動かない部分であり、アセンブリシャーシ６０に取り付ける固定部分（上蓋２０が閉じている状態において、上蓋２０の延長された面となる部分）と一体的に成型され得る。固定側指掛部３５を容器本体１０との一体成型又はアセンブリシャーシ６０との一体成型することも可能である。
不側指掛部３５は、上蓋２０が開いている状態から、閉じようとするときに、ユーザの手指のうちの例えば人差し指が掛かる部分である。そのときユーザの手指のうちの例えば親指が可動側指掛部２５に掛かる。そして、親指と人差し指とを使って、上蓋２０を閉じる。
【００４５】
レール部３１ａ，３１ａは、取出口１１の前後両側にそれぞれ一つずつ設けられる。レール部３１ａ，３１ａは、固定部分に設けられて、動かない部分である。レール部３１ａ，３１ａは、スライド部２４を滑らせる。レール部３１ａを例えば、溝として構成し、スライド部２４をその溝内を滑る突起状の部材として構成することができる。また、レール部３１ａを金属棒として構成し、スライド部２４を当該金属棒の周りに設けた円筒状（又は円筒から一部を欠いた形状として金属棒を嵌め込むことを可能とした形状）の部材として滑らすように構成してもよい。
【００４６】
可動部分は、上蓋２０とその裏側に設けられ、上蓋２０が閉じた状態で取出口１１の周囲のケース側パッキン１４と合わさって密閉度を高める蓋側パッキン２１と、レール部３１ａ，３１ａを摺動するスライド部２４、２４とを有する（図３（ｂ）、図５（ｂ）では、上蓋２０の裏側に設けられた部材は破線で描いてある）。また、付勢部材を取り付ける可動側係合部２２が設けられている（図３（ｂ）に描いた蓋側パッキン２１の左側で前後における中央部分）。
組み立て工程にあっては、アセンブリシャーシに上述した固定部分を取り付けてから、コイルばね（付勢部材）５０、５０を固定部分の図３（ｂ）の左端の上下２箇所に設けた固定側係合部３３、３３に取り付ける。付勢部材５０，５０（二つのバネ）の他端は、可動側係合部２２に取り付けられる。当該取り付けを行ってからスライド部２４，２４をレール部３１ａ，３１ａに摺動可能に取り付ける（またはスライド部２４、２４をレール部３１ａ、３１ａに摺動可能に取り付けてから付勢部材５０、５０を取り付ける）。
【００４７】
付勢部材５０は、ここでは金属を材料とするつるまきバネを使うことができる。ゴム、エラストマーなどの弾性部材を引っ張りバネ、又は板バネのようにして用いて、必要な動力伝達機構とともに用いて、コイルばねの代わりに用いてもよい。
付勢部材５０は、上蓋２０が開く方向に付勢される。つまり、上蓋２０が開いている状態では、付勢部材５０は自然長に近い状態すなわち負荷のかからない状態にある。それに対して上蓋２０が閉じている状態では、付勢部材５０は伸びており負荷の掛かる状態にある。上述したように、上蓋２０が開いている状態から閉じるには、ユーザが手指を用いて付勢部材５０に抗して上蓋２０をスイッチ部３４に近づける。上蓋２０のスイッチ部３４に近い側には、爪受部３４ｃに引っかかる部材である爪部２３があり、爪受部３４ｃに引っかかることにより上蓋２０が閉じた状態で固定される。スイッチ部３４をユーザが押すと、爪受部３４ｃにおける引っ掛かりが解除されて、上蓋２０は、付勢部材５０により引っ張られて開く。
【００４８】
次に、本願発明の実施形態１―８について述べる。これらの実施形態は、いずれも本願発明の主眼である「スライド開閉において閉まる方向に動くことで気密性を保つパッキン」という目的に沿ったものである。上蓋２０、取出口１１などの構成については、上述した構成と同じであってよいので、同一の部材については同一の符号を用いて説明する。しかし、上蓋２０、取出口１１を含む容器本体１０の天面の構成は、上蓋２０がスライド開閉のものであって、開閉の際にパッキンを用いて気密性を高めるようなものであれば他の構成であってもよい。したがって、容器本体１０の天面についての構成は、そのような条件を充足するような変形例を許容する。このことは、実施形態１から５までに共通する。
【００４９】
≪実施形態１：閉まる方向に適した形状≫
本発明の実施形態１として、上蓋１２が閉まる方向に動くことで気密性を向上するように作用する形状、構造を有するパッキンについて説明する。
図１，２，３を参照しつつ上述したように、容器本体１０の取出口１１の周囲に上から見て容器本体１０の短手方向に延びる長円形状のパッキンが設けられており、上蓋１２の裏側（下側）にも下から見て容器本体１０の短手方向に延びる長円形状のパッキンが設けられている。そして、それらの長円形状のパッキンのうち、直線状に延びる二つの辺の形状、構造についてここで説明する。それらの二つの辺以外の部分（丸みを帯びた部分）については、上下のパッキンがただ単に水平面をもった境界を有しており、上蓋１２が左右のスライドをすることに伴い、上蓋１２側のパッキンもまた左右のスライドの動きをし、それによって上下のパッキンが擦り合わされるようにされる。そして、上蓋１２が閉じた状態にあっては、本体側パッキン４１と蓋側パッキン５１とが密着して、気密性容器の気密性を高める働きをする。
【００５０】
図４は、実施形態１のパッキン形状を示す断面図である。図４の４つの断面図は、いずれも気密性容器の長手方向の中心線を含む鉛直面で切った断面を示している。パッキンの素材は、エラストマーやシリコンゴム等の軟質材を使用する。容器本体側と上蓋側との双方に軟質材のパッキンを設けることができる。
また、本体側と上蓋側の一方のみをパッキンとして、他方は合成樹脂により成型して、パッキンとの嵌合が可能な形状とすることもできる。
さらにまた、一方のみを軟質材のパッキンとして、他方については硬質材とする変形例も可能である。
【００５１】
図４で白抜きの左右往復矢印は、上蓋１２の左右方向にスライドする動き、及びそれに伴い、蓋側パッキン２１Ａ、２１Ｂが左右にスライドする動きを示している。また、下から上へ向けての一方向の矢印は、ウェットティシューを引っ張り上げる向き、そしてそれに伴いウェットティシューがポップアップする向きを示している。当該矢印を含む部分が取出口１１の開口部となっている。
図４は、パッキンの形状、構造を模式的に示す目的で描いたため、パッキンがアセンブリシャーシ１５を挟み込む形状、構造を有することを表現するのは省略した。また、上に述べた舌状体４６，４７を描くのも省略してある。図４（ａ），（ｂ），（ｃ），（ｄ）のいずれにおいても、蓋側パッキン２１Ａが本体パッキン１４Ａに嵌合し、蓋側パッキン２１Ｂが本体パッキン１４Ｂに嵌合する。
【００５２】
図４（ａ）は、閉まる側（プッシュボタンに近い側）の本体側パッキン１４Ｂを階段状とし、閉まる側の上蓋側パッキン２１Ｂを当該階段に乗る形状としたものである。そして、開く側（プッシュボタンに遠い側）の上蓋側パッキン２１Ａを階段状とし、開く側の本体側パッキン１４Ａを当該階段に乗る形状とした。これにより二つのパッキンの間の境界は、広く面的な接触をすることとなり、密着度（気密性）が高まる。
図４（ｂ）は、図４（ａ）の変形例であり、図４（ａ）の形状をベースとして、さらに閉まる側の本体側パッキン１４Ｂの階段の途中に下に凹んだ凹み部分を設けて、閉まる側の上蓋側パッキン２１Ｂの当該階段に乗る部分には、下に凸の突起部分を設けて、上蓋１２が閉まる際には、凹み部分に突起部分が嵌ることにより気密性を高める。すなわち、図４（ｂ）において、蓋側パッキン２１Ｂに嵌合部が設けられ、ケース側パッキン１４Ｂに被嵌合部が設けられている。
図４（ｃ）は、図４（ａ）の変形例であり、図４（ａ）の形状をベースとして、図４（ｂ）と同様に凹凸の嵌合部分をさらに設けるが、凹みの方向及び突起の向きが上蓋の閉まる方向と一致しているものである。すなわち、蓋側パッキン２１Ｂに嵌合部が設けられ、ケース側パッキン１４Ｂに被嵌合部が設けられている。さらに、蓋側パッキン２１Ａに嵌合部が設けられ、ケース側パッキン１４Ａに被嵌合部が設けられている。
図４（ｄ）は、図４（ａ）の変形例であり、階段の段の面を水平とせずに角度を設けて、上蓋がスライドして閉まるにつれて、気密性が増すようにしたものである。
【００５３】
図１から３までを参照しつつ上述した際に、上蓋１２は容器本体１０の天面とほぼ同一平面内においてスライドするとした。上蓋１２をスライドさせる平面は、容器本体１０の天面と同一平面内にするとして、パッキンを設ける面（言い換えれば、上下のパッキンが嵌合する面）は、水平面に対して例えば５度の角度を有するようにし、閉まる方向に角度をつけるのが望ましい。それによりパッキンの気密性を高めることができる。
【００５４】
軟質パッキンの素材であるエラストマーやシリコンゴムは、ウェットティシューに浸透している薬液により濡れていると、より気密性の高い接触をすることが知られている。そこで、パッキンの嵌合する部分が、スライド開閉の動きにしたがって、ウェットティシューのポップアップしている部分に触れて、薬液を取り込んだ上で、上蓋が閉じられることにより、より気密性の高い接触を実現できる。
【００５５】
≪パッキンと本体との嵌合について≫
パッキンと本体との嵌合にも気密性が必要である。上述した取出口１１の周囲の部分に本体側のパッキンを設ける場合には、取出口１１の長円部分の形状と同様の形状を有するパッキンを設けて、その周囲部分に取出口１１が入り込むスペースの切り込みを入れることで、パッキンを嵌合することが可能である。その場合には、本体側に比較的大きな貫通する孔があって、その孔の周囲にパッキンを取り付けるものである。
そのようなケースのみならず、本体側に比較的小さな孔を設けてその孔をすべてパッキンで覆ってしまうことにより、パッキンと本体との嵌合をすることも可能である。図５に示すケースはそのような場合である。
【００５６】
図５は、パッキン１７と本体１０との嵌合に用いるパッキン形状を示す断面図（図５（ａ））、アセンブリシャーシ１５と本体１０とを挟むパッキン形状を示す断面図（図５（ｂ））及び本体１０とアセンブリシャーシ１５とを挟むパッキン形状を示す断面図（図５（ｃ））である。図５では、嵌合部分だけを模式的に図示している。したがって当該パッキンが上蓋１２と実際に当接して機能する部分については描くのを省略している。
図１から３までを参照しつつ説明した実施形態にあっては、本体１０側のパッキン１４は、取出口１１の周囲に設けることとしたが、ボス型のパッキン１７により気密性を保つ領域を取出口１１を含むより広い領域（閉じた領域だけでなく、開いた領域をも含む）にする変形例が可能である。パッキンにより囲む部分は、ウェットティシューがポップアップする部分を収納する部分であると考えると、当該部分がより広い方がかみ込み防止のためには有利だからである。
【００５７】
また、閉じた領域だけでなく、開いた領域でもよいとするのは、本体１０側のパッキン１４が開いた領域をなすものであっても、上蓋側のパッキン２１が閉じた領域をなすものであれば、両者が嵌合して閉じた領域を構成することが可能だからである。その場合には、上蓋側のパッキン２１のうち、本体１０側のパッキン１４が当接しない部分は、本体（容器本体）１０又はアセンブリシャーシ１５と当接して気密部分（ウェットティシューのポップアップした部分を収容する部分）を形成することとなる。
ここで閉じた領域をなすパッキン形状をその形がアルファベット文字のＯの字に似ていると考えてＯ字型のパッキン、開いた領域をなすパッキン形状をＣの文字に似ていると考えてＣ字型のパッキンと呼ぶこととする。
【００５８】
そのような取出口１１を含み、それよりも広い領域をパッキン部分（ウェットティシューのポップアップした部分を収容する部分）とする際には、Ｏ字型、Ｃ字型の形状を有するパッキンの裏側の数箇所にパッキンと同一素材の突起であって、上蓋に当接する向きとは逆の向きに凸であるものを設ける。そして、本体側の対応する部分には当該突起が挿入されるべき小さい孔を（部品成型の際に）設ける。突起にはその突起が延びる方向のなかほどにくびれた部分があって、そのくびれが本体側の孔の径と一致する大きさとなっている。その様子の断面を模式的に図示したのが図５（ａ）である。
【００５９】
図５（ｂ）では、アセンブリシャーシ１５を上にして本体１０と合わせた状態で両者を貫く孔を設けて、そこにパッキンを取り付けた例を示す。図５（ｃ）では、本体１０の下側（裏側、内側）からアセンブリシャーシ１５を合わせた状態で両者を貫く孔にパッキンを取り付けた例を示す。
なお、本体との嵌合に用いるパッキンを、上蓋１２との嵌合に用いるパッキンとは独立させて、アセンブリシャーシ１５と容器本体１０との嵌合の密着性を高める目的でパッキンを用いることとしてもよい。すなわち、従来において成型品同士の接合をボスを用いて行う場合があったが、そのボスの代わりにパッキンを用いて（言い換えれば、ボスの形状に似た形状を有し、素材をエラストマー、シリコンゴムなどの弾力性をもつ軟質材としたものを用いて）密着性、気密性を向上させることが可能である。
【００６０】
≪実施形態２：外側から回り込む≫
図６は、一方のパッキンを他方のパッキンに回り込ませて嵌合するパッキン形状を上から見た様子を示す図である。一方のパッキン、他方のパッキンと呼ぶのは、本体側パッキン４１、蓋側パッキン５１についてのことであり、図６では回り込むパッキン（Ｃ字型のパッキン）を蓋側パッキン５１とし、他方のパッキン（Ｏ字型のパッキン）を本体側パッキン４１としている。これらを入れ替えて設けることも可能である。図６は、Ｃ字型のパッキン（蓋側パッキン５１）がＯ字型のパッキン（本体側パッキン４１）に回り込むようにして嵌合するパッキン形状、構造を示すものである。
なお、蓋側パッキン５１は、上蓋１２の裏側に取り付けられているので、実際は隠れているが、上蓋１２を描くのは省略してパッキンのみを描いている。
【００６１】
パッキン素材は、軟性のエラストマーやシリコンゴムなどを使用できる。蓋側パッキン５１と本体側パッキン４１との両者を軟質素材とすることができる。また、一方のみを軟質素材としてもよい。図６（ａ）、（ｂ）、（ｃ）に示されるようにＣ字型パッキンの両端の周り込み部分がＯ字型パッキンの背後に回り込んで抱き込むようにして密着するものである。図６（ａ）を基本として、図６（ｂ）のようにＣ字型パッキン、Ｏ字型パッキンのそれぞれの真中部分に凸部分と凹部分とを対応する箇所に設けて嵌合を高める形状とすることができる。また、図６（ｃ）のように、Ｃ字型パッキンの両端にＶ字型の突起を設け、対応するＯ字型パッキンの箇所にノッチ（Ｖ字型の切れ目）を設けて嵌合させることとしてもよい。
【００６２】
図７は、回り込ませて嵌合するパッキン形状を横から見た様子を示す模式図である。図７（ａ）は、蓋側パッキン５１（Ｃ字型パッキン）が本体側パッキン４１（Ｏ字型パッキン）と同じ高さ（厚さ）を有し、その高さ（厚さ）全体に亘って回り込んでいる状態を示している。図７（ｂ）は、蓋側パッキン５１（Ｃ字型パッキン）の一部（図では中央部分）が本体側パッキン４１（Ｏ字型パッキン）を回り込んでいる状態を示している。図７（ｃ）は、蓋側パッキン５１（Ｃ字型パッキン）の一部（図では中央部分）が本体側パッキン４１（Ｏ字型パッキン）の複数個所において回り込んでいる状態を示している。図７（ｄ）は、蓋側パッキン５１（Ｃ字型パッキン）が先端に行くにつれて厚さが減少する形状を有しており、そのような形状の先端部が本体側パッキン４１（Ｏ字型パッキン）を回り込んでいる状態を示している。
【００６３】
図７（ｅ）は、回り込んで重なる部分に凹部、凸部からなる組合せ機構を持つ実施例について描いているものである。双方に凹凸に組合せを持たせて、上蓋を閉めたときに凹凸が重なる構造としたものである。図７（ｅ）の矢印の先に描かれた図は、上蓋が閉じた状態で二つのパッキンが重なっている状態を示している。
このように回り込むことによって、二つのパッキンの密着面積をより大きくすることができ、密着度が高まることにより、気密性を高めることが可能である。
【００６４】
≪実施形態３：動力に抗してロックする≫
図８は、ロック機構を有するパッキンを上から見た様子を示す図である。図８（ａ）は蓋側パッキン５１であり、ここではＯ字型パッキンによりなるものである。図８（ｂ）は本体側パッキンであり、ここではＣ字型パッキンからなるものである。本体側パッキン４１は、アセンブリシャーシ１５に設置されてもよい。
付勢手段５３による付勢は上蓋１２が開く方向に働く。上蓋１２が開いている状態にあっては、蓋側パッキン５１と本体側パッキン４１とは離れた状態にある。
図８（ｂ）は、上蓋１２が閉まっている状態を示している。本体側パッキン４１（Ｃ字型パッキン）が上蓋側パッキン５１（Ｏ字型パッキン）を回り込んで接合している。このとき、パッキンの接合力が付勢手段による付勢の力（開く方向に働く力）よりも大きく設定している。したがって、上蓋１２は、閉まった状態を維持することが可能である。
この状態から開けるためには、ユーザの手指の動作によりパッキンの接合力に抗してはがすこと、或いはプッシュボタンの操作により、二つのパッキンをはがす力を加えることになる。
【００６５】
図９は、ロック機構を有するパッキン形状を横から見た断面図（ａ），（ｂ）及びノッチを設けた例を示す図（ｃ），（ｄ），（ｅ）である。図９（ａ），（ｂ）の断面は、図８に描いたパッキンを横から見た断面である。本体側パッキン４１と本体１０との間にはその接合部分の一部にスリットが入っている。それによりバネ特性を持つため、蓋側パッキン５１が入り込みやすくなっている。上蓋１２が閉まった状態にあっては、本体側パッキン４１（Ｃ字型パッキン）の一部が蓋側パッキン５１（Ｏ字型パッキン）を回り込んで接合力を高めている。
【００６６】
図９（ｃ）は上蓋１２が閉じている状態、すなわち本体側パッキン４１と蓋側パッキン５１とが接合している状態を上から見た図である。本体側パッキン４１（Ｃ字型パッキン）の周り込み部分には、突起又はＶ字型切れ込みを設け、蓋側パッキン５１（Ｏ字型パッキン）の対応箇所には、それに嵌合する形を設けることにより最終的にロックされて固定する位置を決定する部位を設けることができる。
【００６７】
≪実施形態４：動力を利用して気密性を向上する≫
図１０は、上蓋の開閉する動力を利用して気密性を向上させるパッキン形状、構造を示す図である。図１０（ａ）に示すように、ここでは本体側パッキン４１、蓋側パッキン５１は、いずれもＯ字型パッキンを用いている。上蓋１２を閉める際には、ユーザは付勢手段５３による動力に抗して上蓋１２をスライドさせて、蓋側パッキン５１が本体側パッキン４１に重なった状態を少し通り過ごした位置まで移動させる。その際、本体側パッキン４１の高さを乗り越える動作をさせることになる。
【００６８】
そのようにすると図１０（ｂ）に示すように、蓋側パッキン４１と蓋側パッキン５１との左右の位置関係が逆転した状態で固定がなされる。この状態について、横から見ると図１０（ｃ）に断面を描いたように、蓋側パッキン２１Ａは本体側パッキン１４Ａに当接し、蓋側パッキン２１Ｂは本体側パッキン１４Ｂに当接する状態で固定されている。図１０（ｃ）に示す白抜き矢印は、付勢手段５３により上蓋１２が開く向きに力が加わっているために、蓋側パッキン５１が本体側パッキン４１を押し付けるようにして密着していることを示している。
【００６９】
この状態を解除して上蓋１２を開けるためには、プッシュボタン４３の働きが上蓋１２を真上に少しだけ押し上げる動作をさせることになる。それにより、蓋側パッキン２１Ａ，２１Ｂが本体側パッキン１４Ａ、１４Ｂを乗り越えることができ、付勢手段５３により引っ張られて上蓋１２が開く状態までスライド移動する。
【００７０】
図１１は、上蓋の開閉する動力を利用して気密性を向上させるパッキン形状、構造の詳細を示す図である。図１１（ａ）は、図１０（ｂ）、（ｃ）に示した上蓋１２が閉じている状態をさらに詳しく描いたものである。図１１（ａ）に示すように、蓋側パッキン２１Ｂと本体側パッキン１４Ｂとが密着して構成する壁と、蓋側パッキン２１Ａと本体側パッキン１４Ａとが密着して構成する壁と、上蓋１２とによって囲まれた空間が気密性の高い空間を構成しており、ここにポップアップしたウェットティシューが収納される。下から上に向かう太矢印は、ウェットティシューがポップアップする向きを示している。白抜きの矢印は付勢手段５３により上蓋１２に加わる力の向きを示している。
このように蓋側パッキン５１と本体側パッキン４１とが図１１（ａ）に示すように密着することになるのは、Ｏ字型パッキンのうちの付勢手段の力の向きに垂直に設けられた部分においてである。付勢手段５３の力の向きに平行なパッキン部分においては、上蓋１２のスライド動作の際に、蓋側パッキン５１、本体側パッキン４１のいずれも同じ高さで擦れ合って接合するような形状となる。その他の形状は実施形態３と同様にすることができる。
【００７１】
図１１（ｂ）は、図１１（ａ）の変形であり、蓋側パッキン２１Ａと蓋側パッキン２１Ｂの形状を先が細くなるものとしている。これにより、図１１（ａ）に比べて、上蓋２０のスライド動作において蓋を閉める際に、蓋側パッキン２１がケース側パッキン１４を乗り越える動作をしやすくする。
図１１（ｃ）に描いた蓋側パッキン２１Ａは、その下端部に下に凸の突起を設けている。そして、ケース側パッキン１４の上部には、それに嵌合する凹部を設けたものである。
図１１（ｄ）は、図１１（ｃ）のパッキンが嵌合している様子を示している。このパッキン形状では、上蓋２０のスライド動作において、蓋を閉める際に蓋側パッキン２１がケース側パッキン１４を乗り越えてから必要以上に行過ぎてしまわない、という効果がある。
【００７２】
≪実施形態５：薬液を取り込むパッキン≫
図１２は、軟質材からなるパッキンの上蓋開放時（ａ）、スライド時（ｂ）、閉まった時（ｃ）を示す模式図である。蓋側パッキン２１Ａ、２１Ｂは、軟質材からなるので、図１２（ｂ）に描かれているように、上蓋２０をスライド移動する際に、なびくように移動する。したがって動かすときの抵抗が小さい。また、軟質材であるためにポップアップ状態にあるウェットティシューに浸透させた薬液を取り込む作用が硬質材に比べて大きい。したがって、取出口１１の上を移動して薬液を取り込み濡れることで、ケース側パッキン１４（容器側パッキン）などとの接触がより適切になされて気密度を高めることができる。
【００７３】
また、軟質材からなるパッキンは、撓む効果があるので、上蓋２０が閉じた状態における本体容器１０と上蓋２０との距離よりも長い蓋側パッキン２１Ａ、２１Ｂとすることで、撓む効果により密着度を高めることができる。
ここで、軟質材は、パッキン全体に使用してもよいし、一部分のみ（例えば先端だけ）使用してもよい。
【００７４】
図１３は、軟質材からなるパッキンの形状、構造を横から見た図である。図１３（ａ）は、上蓋２０の側に軟質材からなる蓋側パッキン２１Ａ、２１Ｂを設け、容器本体１０側の取出口１１周縁部には、パッキンを設けないこととした例を示す。蓋側パッキン２１Ａ、２１Ｂは、上蓋２０が閉まった状態において容器本体１０の表面に達する長さを有しており、取出口１１周縁部を密閉し、ポップアップしたウェットティシューを気密状態にて収納する。
【００７５】
図１３（ｂ）は、容器本体１０側の取出口１１周縁部に軟質材からなるケース側パッキン１４Ａ、１４Ｂを設け、上蓋２０の側にはパッキンを設けないこととした例を示す。ケース側パッキン１４Ａ、１４Ｂは、上蓋２０の側が閉まった状態において上蓋２０の裏面に達する長さを有しており、取出口１１周縁部を密閉し、ポップアップしたウェットティシューを気密状態にて収納する。
図１３（ｃ）は、図１３（ａ）の変形例であり、ここでは軟質材でないパッキンを用いている。
【００７６】
図１３（ｄ）においては、上蓋２０の側の軟質材からなる蓋側パッキン２１は、上蓋２０の取出口１１から遠い側が一番高くなるようにし（蓋側パッキン２１Ａ）、上蓋２０の閉まる方向に漸次減少しケース側パッキン１４Ｂに当接する位置においては、高さが一番小さく（ゼロに）している。一方、容器側のパッキン（ケース側パッキン１４）の高さは、上蓋２０の閉まる状態で蓋側パッキン２１Ａが当接する位置においては高さが最も小さく（ゼロに）しており、上蓋２０の閉まる方向に漸次増加し、上蓋２０の閉まる状態で蓋側パッキン２１の高さが一番小さくなる位置において最も高くなるようにし（ケース側パッキン１４Ｂ）ている。図１３（ｄ）の断面図においては、上蓋２０の開閉方向に平行な取出口１１の中心線を含む鉛直断面を描いているため、パッキンの上蓋開閉方向における両端のみが描かれているが、パッキン（蓋側パッキン、ケース側パッキン）は密着空間を作るものであるので、パッキンの前後方向における両端の部分に着目すると、容器側のパッキンの高さは、上蓋の閉まる方向に漸次増加し、蓋側のパッキンの高さは、上蓋の閉まる方向に漸次減少するようになっており、上蓋が閉まっている状態において、いずれの位置においても二つのパッキンの高さを合計すると上蓋２０と容器本体１０との距離に一致するように連続的に高さが変化する形状となっている。
【００７７】
図１３（ｅ）は、上蓋２０側のパッキン２１Ａ、２１Ｂを高くし、ケース側パッキン１４Ａ、１４Ｂを低く設けた例を示している。
図１３（ｆ）は、パッキンの先端における一部だけを軟質材とした例を示している。
図１３（ｇ）は、パッキンに角度と方向性とを持たせた例を示している。
【００７８】
図１４（ａ）、（ｂ）は、軟質材からなるパッキンの機能を示す模式図である。図１４（ａ）は、例えば蓋側パッキン２１が上蓋２０のスライド移動の際に容器本体１０の表面にその縁部分が接触しつつ移動する様子を示している。図１４（ｂ）は、例えば蓋側パッキン２１が上蓋２０のスライド移動する際に容器本体１０の表面に対して広い面積において接触しつつ移動する様子を示している。
【００７９】
図１４（ｃ１）は、ケース側パッキン１４の平面図を示す。図１４（ｃ２）は、ＡＡ断面図であり、図１４（ｃ３）はＢＢ断面図である。ケース側パッキンは、舌片部（舌状体）を３つ有している。ウェットティシューのポップアップを調整する機能を有している。
図１４（ｄ１）は、ケース側パッキン１４の変形例を示す平面図である。図１４（ｄ２）は、ＡＡ断面図であり、図１４（ｄ３）はＢＢ断面図である。ケース側パッキンは、この変形例では、舌片部を１つ有している。
【００８０】
これらの舌片部の働きにより、ウェットティシューのポップアップした部分は、取出口１１のほぼ中央部分に位置した状態で保持される。蓋側パッキン２１は、当該ウェットティシューのポップアップした部分と接触しつつスライド移動するので、ウェットティシューに浸透している薬液により濡れる。それによりパッキン同士の接触の気密性が増すこととなる。
【００８１】
以上説明したウェットティシュー収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口１１を閉塞していた上蓋２０がスライド移動して開放状態となり、取出口１１が開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００８２】
具体的には、付勢部材５０は、伸縮部材により構成され、可動機構は、ケース体（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、ウェットティシュー収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、上蓋２０が、ケース体の外側でスライド移動するように構成したが、これに限ることはなく、上蓋２０が、ケース体の内側でスライド移動して、上蓋２０の開放状態において上蓋２０の大部分（例えば、可動側指掛部２５を除く部分）がケース体内に収まるように構成することも可能である。
【００８３】
また、以上説明したウェットティシュー収納容器１によれば、上蓋２０は、当該上蓋２０の状態にかかわらず、外部から視認不能に付勢部材５０を遮蔽している。したがって、ウェットティシュー収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００８４】
また、以上説明したウェットティシュー収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
【００８５】
また、以上説明したウェットティシュー収納容器１によれば、ケース体（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口１１を開閉させるが、そのスライド移動がレール部３１ａによってガイドされるので、上蓋２０をスムーズかつ確実に開閉することができる。
【００８６】
また、以上説明したウェットティシュー収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体（本実施形態の場合、シャーシ３０）のうち係止手段（本実施形態の場合、爪受部３４ｃ）よりも上蓋２０の閉塞状態となる方向側には、固定側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体（容器本体１０及びシャーシ３０）に加わってしまっても、固定側指掛部３５に指を掛けてケース体に逆方向の力を作用させてケース体を固定しておくことができるので、ケース体が滑ってしまうことがない。
したがって、片手で上蓋２０を閉めることができ、上蓋２０の閉塞動作が行いやすい。
【００８７】
特に、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体に加わるので、ケース体は上蓋２０の閉塞状態となる方向側に滑りやすいが、固定側指掛部３５を設けることで、ケース体が滑らないように、固定側指掛部３５に指を掛けてケース体を固定しておくことができる。
なお、ウェットティシュー収納容器１に上蓋２０を開放状態となる方向に付勢する付勢部材５０を設けたが、これに限ることはなく、ウェットティシュー収納容器１に付勢部材５０を設けなくてもよい。ウェットティシュー収納容器１に付勢部材５０を設けない場合には、可動側指掛部２５と固定側指掛部３５との双方に指を掛けて上蓋２０を開閉することができる。したがって、片手で上蓋２０を開閉することができ、上蓋２０の開閉動作が行いやすい。
【００８８】
また、以上説明したウェットティシュー収納容器１によれば、ケース体（本実施形態の場合、シャーシ３０）は、係止手段（爪部２３及び爪受部３４ｃ）による係止を解除する際に押圧されるスイッチ部３４を備え、固定側指掛部３５は、スイッチ部３４に離間してケース体（本実施形態の場合、シャーシ３０）に設けられた突起部である。
具体的には、ケース体は、容器本体１０と、当該容器本体１０の上面に固定されるシャーシ３０と、を備え、上蓋２０は、シャーシ３０に取り付けられ、固定側指掛部３５は、シャーシ３０の端部（本実施形態の場合、上壁部３２の右端部）を上側に向けて起立させることにより形成された突起部である。
したがって、固定側指掛部３５がスイッチ部３４に離間して設けられているので、固定側指掛部３５に掛けた指でスイッチ部３４を誤操作してしまうことを防止することができ、上蓋２０を片手で確実に閉めることができる。
なお、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や固定側指掛部３５を設ける箇所は、スイッチ部３４や固定側指掛部３５が容器本体１０の平面（上面）視外形からはみ出さないのであれば、適宜任意に変更可能である。
【００８９】
また、以上説明したウェットティシュー収納容器１によれば、上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口１１は当該凹部１３に設けられ、アセンブリ体Ａは、凹部１３内に当該凹部１３の上方から嵌め込まれている。
また、以上説明したウェットティシュー収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【００９０】
なお、取出口１１の下側には、ケース側パッキン１４につながる部分として舌片部１４ａが設けられて、ウェットティシューのポップアップを調整する役目を果たす。図２に示す例では、この舌片部１４ａは取出口１１のプッシュボタンに近い側と遠い側とでは向きを異ならせて設けている。すなわち、プッシュボタンに近い側は、水平に設けているのに対し、遠い側では舌片部の先が下に降りるように延びている。ウェットティシューのポップアップした部分がプッシュボタンからは遠い側になびくように工夫したものである。これにより、ウェットティシューを噛み込むことを防止している。上蓋２０が閉じる際に、ウェットティシューを噛み込むと、当該ウェットティシューを使えなくなる場合があるのみならず、密閉性が悪くなり、内部のウェットティシューに浸透している薬液の揮発が生じる可能性があるからである。
【００９１】
なお、本発明は、上記実施形態１〜５に限定されるものではなく、具体的な構造について適宜変更可能であるのは勿論である。
【符号の説明】
【００９２】
１  ウェットティシュー収納容器
１０  容器本体
１０ａ  上面部
１０ｂ  周面部
１１  取出口
１２  底面開口
１３  凹部
１３ａ  底面部
１４  ケース側パッキン
１４ａ  舌片部
１５、１６  横穴部
１７  ボス型のパッキン
２０  上蓋
２１  蓋側パッキン
２２  可動側係合部
２３  爪部
２４  スライド部
２５  可動側指掛部
２６  指載置部
２７  突片部
３０  シャーシ
３１  枠部
３１ａ  レール部
３１ｂ  支持部
３１ｃ  連結部
３２  上壁部
３３  固定側係合部
３４  スイッチ部
３４ａ  操作面
３４ｂ  軸部
３４ｃ  爪受部
３５  固定側指掛部
３６  水平リブ
３７  コーナーリブ（リブ）
３８  スタック支持リブ
４０  底蓋
５０  付勢部材
５５  中間接続具
６０  アセンブリシャーシ
Ｐ  家庭用薄葉紙
Ｑ  薄葉紙積層体
Ｓ  収納空間部
【図１】
0006043495.tif 000002
【図２】
0006043495.tif 000003
【図３】
0006043495.tif 000004
【図４】
0006043495.tif 000005
【図５】
0006043495.tif 000006
【図６】
0006043495.tif 000007
【図７】
0006043495.tif 000008
【図８】
0006043495.tif 000009
【図９】
0006043495.tif 000010
【図１０】
0006043495.tif 000011
【図１１】
0006043495.tif 000012
【図１２】
0006043495.tif 000013
【図１３】
0006043495.tif 000014
【図１４】
0006043495.tif 000015